(57)【要約】【課題】高画質で長時間のコンテンツをセキュリティを保った状態で確実に取得し再生する再生装置を提供する。【解決手段】  サーバ装置Ｔからネットワークを介してコンテンツの配信を受ける通信部１１１と、復号部１４４及び再生部１２３と、サーバ装置Ｔが保有する複数のサーバ部Ｓ１〜Ｓｎがもつ複数のモジュールからコンテンツの分割コンテンツを暗号化して配信される際に、各分割コンテンツのそれぞれが複数のサーバ部中の複数のモジュール部中のどれから供給されるかを示す配信情報２２，２３と、各サーバ部の各モジュール部に応じた複数の復号鍵２４と複数の復号鍵でそれぞれが暗号化された複数の分割コンテンツ２１とを通信部を介してサーバ装置から配信され、配信情報と複数の復号鍵とに基づいて復号部により複数の分割コンテンツを復号し再生するべく制御する制御部１３０とをもつ再生装置。【選択図】図２
2006157735.tif 000002
【特許請求の範囲】
【請求項１】
サーバ装置からネットワークを介してコンテンツの配信を受ける通信部と、
前記サーバ装置から受けたコンテンツを鍵情報に基づき復号する復号部と、
前記復号部で復号したコンテンツを再生する再生部と、
前記サーバ装置が保有する複数のサーバ部についてこれら各サーバ部がもつ複数のモジュールから前記コンテンツの分割コンテンツを暗号化してそれぞれ配信される際に、前記各分割コンテンツのそれぞれが前記複数のサーバ部の中の前記複数のモジュール部の中のどれから供給されるかを示す配信情報と、各サーバ部の各モジュール部に応じた複数の復号鍵と、前記複数の復号鍵でそれぞれが暗号化された複数の分割コンテンツとを、前記通信部を介して前記サーバ装置から配信され、前記配信情報と前記複数の復号鍵とに基づいて、前記復号部により前記複数の分割コンテンツを復号し、前記再生部を用いて復号した前記コンテンツを再生するべく制御する制御部と、
を具備することを特徴とする再生装置。
【請求項２】
放送信号を受信し復調して映像音声信号を出力するチューナ部を更に有し、前記制御部は、前記チューナ部から前記配信情報と前記複数の復号鍵との少なくとも一方を受け取るべく制御することを特徴とする請求項１記載の再生装置。
【請求項３】
前記制御部は、前記配信情報と前記複数の復号鍵とを異なる装置から供給され、又は、異なるインタフェースを介して供給されることを特徴とする請求項１記載の再生装置。
【請求項４】
前記配信情報と前記複数の復号鍵とは、この再生装置のユーザ毎に固有の情報であり、他のユーザの配信情報と前記複数の復号鍵とは、ユーザ毎にそれぞれ相違していることを特徴とする請求項１記載の再生装置。
【請求項５】
前記供給された配信情報と複数の復号鍵とを格納するための記憶領域を有する、着脱可能なカード形状の記憶媒体を更に具備することを特徴とする請求項１記載の再生装置。
【請求項６】
前記供給された配信情報と複数の復号鍵とを格納するための記憶領域を有する、ＰＣＭＣＩＡカードとＵＳＢ入出力モジュールとの少なくとも一方である着脱可能な記憶媒体を更に具備することを特徴とする請求項１記載の再生装置。
【請求項７】
前記供給された配信情報と複数の復号鍵とを格納するための記憶領域を有する、前記再生装置に内蔵されるＩＣチップを更に具備することを特徴とする請求項１記載の再生装置。
【請求項８】
サーバ装置とこれに接続される再生装置とからなる再生システムであって、
複数のモジュール部をもつ複数のサーバ部を有するサーバ装置と、
前記サーバ装置からネットワークを介してコンテンツの配信を受ける通信部と、前記サーバ装置から受けたコンテンツを鍵情報に基づき復号する復号部と、前記復号部で復号したコンテンツを再生する再生部と、前記サーバ装置が保有する複数のサーバ部についてこれら各サーバ部がもつ複数のモジュールから前記コンテンツの分割コンテンツをそれぞれ配信される際に、前記各分割コンテンツのそれぞれが前記複数のサーバ部の中の前記複数のモジュールの中のどれから供給されるかを示す配信情報と、各サーバ部の各モジュールに応じた複数の復号鍵と、前記複数の復号鍵に対応する暗号鍵でそれぞれが暗号化された複数の分割コンテンツとを、前記通信部を介して前記サーバ装置から配信され、前記配信情報と前記複数の復号鍵とに基づいて、前記復号部により前記複数の分割コンテンツを復号し、前記再生部を用いて復号した前記コンテンツを再生するべく制御する制御部とを有する再生装置と、を具備することを特徴とする再生システム。
【請求項９】
前記再生装置は、放送信号を受信し復調して映像音声信号を出力するチューナ部を更に有し、前記制御部は、前記チューナ部から前記配信情報と前記複数の復号鍵との少なくとも一方を受け取るべく制御することを特徴とする請求項８記載の再生システム。
【請求項１０】
前記制御部は、前記配信情報と前記複数の復号鍵とを異なる装置から供給され、又は、異なるインタフェースを介して供給されることを特徴とする請求項８記載の再生システム。
【請求項１１】
前記配信情報と前記複数の復号鍵とは、この再生装置のユーザ毎に固有の情報であり、他のユーザの配信情報と前記複数の復号鍵とは、ユーザ毎にそれぞれ相違していることを特徴とする請求項８記載の再生システム。
【請求項１２】
前記再生装置は、前記供給された配信情報と複数の復号鍵とを格納するための記憶領域を有する、着脱可能なカード形状の記憶媒体を更に具備することを特徴とする請求項８記載の再生システム。
【請求項１３】
前記再生装置は、前記供給された配信情報と複数の復号鍵とを格納するための記憶領域を有する、ＰＣＭＣＩＡカードとＵＳＢ入出力モジュールとの少なくとも一方である着脱可能な記憶媒体を更に具備することを特徴とする請求項８記載の再生システム。
【請求項１４】
前記再生装置は、前記供給された配信情報と複数の復号鍵とを格納するための記憶領域を有する、前記再生装置に内蔵されるＩＣチップを更に具備することを特徴とする請求項８記載の再生システム。
【請求項１５】
複数のモジュール部をもつ複数のサーバ部を有するサーバ装置とこれに接続される再生装置とを用いてコンテンツを再生する再生方法であり、
前記サーバ装置の複数のサーバ部がもつ複数のモジュールから前記コンテンツの分割コンテンツをそれぞれ配信される際に、前記各分割コンテンツのそれぞれが前記複数のサーバ部の中の前記複数のモジュールの中のどれから供給されるかを示す配信情報と、各サーバ部の各モジュール部に応じた複数の復号鍵と、前記複数の復号鍵に応じた暗号鍵でそれぞれが暗号化された複数の分割コンテンツとを前記サーバ装置から配信され、前記配信情報と前記複数の復号鍵とに基づいて前記複数の分割コンテンツを復号し、復号した前記コンテンツを再生することを特徴とする再生方法。
【請求項１６】
前記再生装置は、放送信号を受信し復調して映像音声信号を出力するチューナから前記配信情報と前記複数の復号鍵との少なくとも一方を受け取るべく制御することを特徴とする請求項１５記載の再生方法。
【請求項１７】
前記配信情報と前記複数の復号鍵とを異なる装置から供給され、又は、異なるインタフェースを介して供給されることを特徴とする請求項１５記載の再生方法。
【請求項１８】
前記配信情報と前記複数の復号鍵とは、この再生装置のユーザ毎に固有の情報であり、他のユーザの配信情報と前記複数の復号鍵とは、ユーザ毎にそれぞれ相違していることを特徴とする請求項１５記載の再生方法。
【請求項１９】
前記再生装置は、前記供給された配信情報と複数の復号鍵とを格納するための記憶領域を有する、着脱可能なカード形状の記憶媒体を更に具備することを特徴とする請求項１５記載の再生方法。
【請求項２０】
前記再生装置は、前記供給された配信情報と複数の復号鍵とを格納するための記憶領域を有する、ＰＣＭＣＩＡカードとＵＳＢ入出力モジュールとの少なくとも一方である着脱可能な記憶媒体を更に具備することを特徴とする請求項１５記載の再生方法。
【発明の詳細な説明】
【技術分野】
【０００１】
この発明は、例えば、ネットワークを介して配信サイトからコンテンツを受信し再生する再生装置に関し、特に、配信サイトの複数サーバから分割され暗号化されたコンテンツを受信し再生する再生装置、再生システムに関する。
【背景技術】
【０００２】
最近、ＡＤＳＬ（Asymmetric Digital Subscriber Line）や光通信等通信インフラの普及により、本格的な通信での映像や音楽等の配信サービス環境が整備されてきている。そうした中、通信網にアクセスする端末としては家庭内ではＰＣ（Personal Computer）が基本的には主であるが、録画再生機等に通信接続機能を付加したものも出てきている。
【０００３】
特許文献１には、ネットワークを介してサーバからコンテンツの配信が可能となるサーバ装置が開示されている。
【特許文献１】特開２００４−７０７１２号公報。
【発明の開示】
【発明が解決しようとする課題】
【０００４】
しかし、上記した従来技術においては、コンテンツの配信において、十分なセキュリティを得ることができない。従って、例えば、配信されたコンテンツが暗号化されていても何らかの方法で復号鍵を不正に取得された場合には、その不正な利用者又は端末等を用意に特定したり、インターネット等を通じた復号鍵の不特定多数への配布などの不正利用に対する被害を最小限に抑えることが難しいという問題がある。
【０００５】
本発明は、高画質で長時間のコンテンツをセキュリティを保った状態で確実に取得する再生装置を提供することを目的とする。
【課題を解決するための手段】
【０００６】
本発明に係る一実施形態は、サーバ装置からネットワークを介してコンテンツの配信を受ける通信部と、前記サーバ装置から受けたコンテンツを鍵情報に基づき復号する復号部と、前記復号部で復号したコンテンツを再生する再生部と、前記サーバ装置が保有する複数のサーバ部についてこれら各サーバ部がもつ複数のモジュールから前記コンテンツの分割コンテンツをそれぞれ配信される際に、前記各分割コンテンツのそれぞれが前記複数のサーバ部の中の前記複数のモジュールの中のどれから供給されるかを示す配信情報と、各サーバ部の各モジュール部に応じた複数の復号鍵と、前記複数の復号鍵に応じた暗号鍵でそれぞれが暗号化された複数の分割コンテンツとを、前記通信部を介して前記サーバ装置から配信され、前記配信情報と前記複数の復号鍵とに基づいて、前記復号部により前記複数の分割コンテンツを復号し、前記再生部を用いて復号した前記コンテンツを再生するべく制御する制御部とを具備することを特徴とする再生装置である。
【発明の効果】
【０００７】
初めに、上記の再生装置へコンテンツを配信するサーバ装置においては、一つのコンテンツを分割して、サーバ装置の複数のサーバ部のどれか一つの、各サーバ部が有する複数のモジュール部のどれか一つを用いて、分割コンテンツを配信する。この際に、分割コンテンツを、任意の順番、例えば、第1サーバ部の第２モジュール部、次に、第２サーバ部の第１モジュール部、次に、第３サーバ部の第４モジュール部、次に、第４サーバ部の第３モジュール部等のように、そのユーザ固有の順序で振り分けるものであり、この際に、このユーザ固有の順序をモジュール配信手順情報等の配信情報として、分割コンテンツと共にユーザの再生装置に配信するものである。
【０００８】
又、この際に、各分割コンテンツを、そのサーバ部のそのモジュール部に固有の暗号鍵でそれぞれ暗号化し、更に、これらの特有のモジュール部の順序に応じた複数の復号鍵を、分割コンテンツと共に再生装置に送信するものである。
【０００９】
なお、ここで、モジュールは、平文の分割コンテンツに対して暗号化を施してＨＴＴＰやＲＴＰなどの配信フォーマットに格納した伝送形態であり、モジュール部は、暗号化しその伝送形態を生成するためのサーバ部中の場所となる。
【００１０】
再生装置においては、この配信情報と複数の鍵情報とに基づいて、これらの分割コンテンツをそれぞれ復号して再生するものである。これにより、複数のサーバ部の複数のモジュール部から分割コンテンツを配信されることにより、ネットワークの負荷分散を図りながら通信効率を向上させることができ、同時に、各分割コンテンツに固有の複数の復号鍵がなければこれらの複数の分割コンテンツを復号し再生することができないので、コンテンツを保護することも可能となる。又、分割コンテンツは、必ずしもコンテンツの再生順序でダウンロードする必要はなく、アトランダムな順番でダウンロードしても、分割コンテンツと別に供給された再生順序も示す配信手順情報に基づいて正当な順番で分割コンテンツを再生することで、本来の順序で再生することが可能である。
【発明を実施するための最良の形態】
【００１１】
以下、この発明の実施の形態について図面を参照して詳細に説明する。  
この発明は、例えば、ネットワークを介してコンテンツを受信し再生する再生装置及びコンテンツを配信するサーバ装置と、これらの再生装置とサーバ装置とを有する再生システムを用いた再生方法とに関する。初めに、サーバ装置の一例について説明する。図１は、本発明の一実施形態に係る再生システムの一例を示すブロック図である。
【００１２】
＜本発明の一実施形態に係るサーバ装置＞
初めに、図１において、この再生システムは、配信サイトＴと、ここから分割コンテンツを格納したモジュールを配信される受信端末装置Ｒとを有している。この配信サイトＴは、複数のサーバ部Ｓ１〜Ｓｎを有しており、各サーバ部Ｓ１〜Ｓｎは、更に、複数のモジュール部Ｍ１〜Ｍｍを有しており、それぞれがコンテンツを配給することができる。更に、これらのサーバ部Ｓ１〜Ｓｎに接続され、ゲートウェイ部１２、又、これに接続されるライセンス管理部１１、Ｉ／Ｆ部１３を少なくとも有している。Ｉ／Ｆ１３では、ネットワーク（ＣＤＮ（Content Delivery Network）等の専用線、又はインターネット）を介して通信を行うためのインタフェース処理を行う。又、ゲートウェイ部１２では、通信を制御し、ユーザの認証処理を行い、認証に成功したらコンテンツの配給を行い、更に、ライセンス管理部１１では、配信を要求するユーザ又は端末又は端末が有するセキュリティモジュール毎に固有に、モジュールの配信手順を決定するとともに、対応する鍵の組合せからなる鍵情報を生成し管理する。又、万一、この鍵情報が不正に取得され配布された場合にはこのユーザ又は端末又は端末が有するセキュリティモジュールを特定し、コンテンツの配信やライセンスの発行を禁止したりといったリボークを可能にする。
【００１３】
なお、ここで、分割コンテンツの暗号化、復号のための鍵情報は、暗号鍵、復号鍵がそれぞれ設けられることとなるが、共通鍵暗号方法で暗号化する際は、暗号鍵＝復号鍵となる。又、公開鍵暗号方式等を用いる場合は、暗号鍵＝復号鍵とならず、暗号鍵に対応した秘密復号鍵等が用いられることとなる。
【００１４】
＜本発明の一実施形態に係る記録再生装置＞
次に、本発明の一実施形態に係る記録再生装置について説明する。図２は、本発明の一実施形態に係る記録再生装置の一例の構成を示すブロック図、図３は、再生システムが扱うサーバ部とモジュール部と複数の復号鍵の対応を示した図、図４は、再生システムが扱う分割コンテンツ、サーバ部、モジュール部、鍵情報との関連を示す図、図５は、再生システムが扱う分割コンテンツ、サーバ部、モジュール部、鍵情報との他の関連を示す図、図６は、再生システムの通信処理の概要を説明する説明図、図７は、再生装置のコンテンツの取得処理の一例を説明するフローチャート、図８は、再生装置のコンテンツの再生処理の一例を説明するフローチャート、図９は、再生装置がアクセスする配信サーバのアドレスを示す図、図１０は、再生システムのコンテンツの取得方法の概要を説明する説明図、図１１は、再生システムのコンテンツの取得方法の概要を説明する説明図である。
【００１５】
図９の配信サーバのアドレスは、配信情報としてゲートウェイサーバ１２又はライセンス管理サーバ１１から提供される。
【００１６】
（構成）
この実施形態では、記録再生装置Ｒは、記録媒体としてＤＶＤ−ＲＡＭとハードディスクの双方を取り扱うことができる装置として示しているが、記録媒体は、これらに限定されるものではなく、例えば、半導体メモリによる記録媒体等を含むことも好適である。図２の各ブロックを大きく分けると、左側には記録部の主なブロックを示し，右側には再生部の主なブロックを示している。
【００１７】
図２の記録再生装置Ｒは、２種類のディスクドライブ部１１８，１１９を有する。まず、ビデオファイルを構築できる情報記録媒体である第１のメディアとしての光ディスクＤを回転駆動し、情報の読み書きを実行する光ディスクドライブ部１１９を有する。又、第２のメディアとしてのハードディスクを駆動するハードディスクドライブ部１１８を有する。制御部１３０は、全体の動作を司るべくデータバスを介して各部に接続されている。
【００１８】
又、図２の記録再生装置Ｒは、録画側を構成するエンコーダ部１２１と、再生側を構成するＭＰＥＧデコーダ部１２３と、装置本体の動作を制御する制御部１３０とを主たる構成要素としている。記録再生装置Ｒは、入力側のセレクタ１１６と出力側のセレクタ１１７とを有しており、入力側のセレクタ１１６には、ネットワークＩ／Ｆ部１１１と、チューナ部１１２と、入力部１１３とが接続され、エンコーダ部１２１に信号を出力する。又、記録再生装置Ｒは、エンコーダ部１２１と、エンコーダ部１２１の出力を受け、データ編集等の所望のデータ処理を行うデータ編集部１２０、データ編集部１２０に接続されるハードディスクドライブ部１１８、光ディスクドライブ部１１９を有している。更に、記録再生装置Ｒは、ハードディスクドライブ部１１８、光ディスクドライブ部１１９からの信号を受けてデコードするＭＰＥＧデコーダ部１２３と、エンコーダ部１２１、バッファ部１２２、ＭＰＥＧデコーダ部１２３、多重化部１２８、パケットを分離する分離部１２９、制御部（コンテンツ取得部）１３０、Ｉ／Ｆ部１４１、セキュリティモジュール１４２、鍵復号部１４３、復号部１４４、キャッシュメモリ１４５、アプリケーション処理部１４６とを有している。
【００１９】
これらの各部は、データバスを介して制御部１３０に接続されている。更に、セレクタ部１１７の出力は、外部のスピーカ部１２５と、ディスプレイ部１２６とに接続されるか、外部装置との通信を行うインタフェース部１２７を介して、外部装置に供給される。
【００２０】
なお、ここで、セキュリティモジュール１４２は、内蔵するＩＣチップであってもよく、又、Ｉ／Ｆ部１４１に着脱可能に接続される記憶媒体やＩＣカード等である、ＰＣＭＣＩＡカードであってもよく、ＵＳＢ端子を用いる記憶媒体であることも好適である。更に、他の形態であることも好適である。
【００２１】
更に、記録再生装置Ｒは、データバスを介して制御部１３０に接続され、ユーザの操作やリモコンＲの操作を受ける操作部１３２を有している。ここで、リモコンは、記録再生装置Ｒの本体に設けられる操作部１３２とほぼ同等の操作を可能とするものであり、ハードディスクドライブ部１１８や光ディスクドライブ部１１９の記録再生指示や、編集指示、又、チューナの操作、予約録画の設定等、各種設定が可能である。
【００２２】
（動作）
・記録処理等
次に、このような構成を有する記録再生装置の動作を、更に詳細に説明する。初めに、主に記録時の動作について、他の実施形態も含めて詳細に説明する。記録再生装置の入力側として、ネットワークＩ／Ｆ部１１１は、例えば、ネットワーク（基本的には、ＣＤＮ（Content Delivery Network）等の専用線、又はインターネット）等を介してサーバＳ等に接続しコンテンツ情報等をダウンロードしたりする。又、チューナ部１１２は、アンテナを介して放送信号を選局し復調して映像信号及び音声信号を入力するもので、広範な種類の放送信号に対応し、例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部を２つ又は３つ以上を有し、予約録画の要求に応じて平行して機能させるものであることも好適である。
【００２３】
又、入力部１１３は、外部から、輝度信号や色差信号、コンポジット等の映像信号、音声信号を受ける。これらは、制御部１３０等で制御されるセレクタ１１６により、入力が制御されて、エンコーダ部１２１に選択的に供給される。すなわち、エンコーダ部１２１には、入力部１１３からの外部アナログビデオ信号や外部アナログオーディオ信号、又は、ＴＶチューナ１１２からのアナログビデオ信号とアナログオーディオ信号が、セレクタ１１６を介して入力される。
【００２４】
エンコーダ部１２１は、セレクタ１１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部１２１の出力は、所定のＭＰＥＧ等の圧縮フォーマットに変換され、先の制御部１３０に供給される。
【００２５】
ここで図２の装置は、エンコーダ部１２１でエンコードされた情報（ビデオ、オーディオ、副映像データなどのパック）及び作成された管理情報を、制御部１３０を介してハードディスクドライブ部１１８又は光ディスクドライブ部１１９に供給し、ハードディスクドライブ部１１８、又は、光ディスクＤに記録することができる。又、ハードディスクドライブ部１１８、又は、光ディスクＤに記録された情報を、制御部１３０、光ディスクドライブ部１１９を介して光ディスクＤ、又は、ハードディスクドライブ部１１８に記録することもできる。
【００２６】
・編集処理等
データ編集部１２０により、ハードディスクドライブ部１１８又は光ディスクＤに記録されている複数番組のビデオ・オブジェクトを、一部削除したり、異なる番組のオブジェクトをつなげたり、といった編集処理を行うこともできる。
【００２７】
編集処理の際、又は、他の処理の際に、ＭＰＵの実行結果のうち、ユーザに通知すべき内容は、記録再生装置の表示部１３３に表示されるか、又は、ディスプレイ１２６にＯＳＤ（オンスクリーンディスプレイ）表示される。又、制御部１３０は、この装置を操作するための操作信号を与える操作部１３２を有する。操作部１３２は、更に、リモコンＲを伴うことが好適である。
【００２８】
・再生処理等  
次に、主に記録された情報の再生処理について、他の実施形態も含めて詳細に説明する。ＭＰＥＧデコーダ部１２３は、デコードされた主映像にデコードされた副映像を適宜合成し、主映像にメニュー、ハイライトボタン、字幕やその他の副映像を重ねて出力するビデオプロセッサを備えている。
【００２９】
ＭＰＥＧデコーダ部１２３の出力オーディオ信号は、セレクタ部１１７を介して図示しないデジタルアナログ変換器でアナログ変換されてスピーカ１２５に供給されるか、Ｉ／Ｆ部１２７を介して外部装置に供給される。セレクタ部１１７は、制御部１３０からのセレクト信号により制御される。これによりセレクタ部１１７は、ＴＶチューナ１１２や入力部１１３からのデジタル信号を直接モニタする時、エンコーダ部１２１をスルーした信号を直接選択することも可能である。
【００３０】
この実施形態の記録再生装置Ｒは、このように総合的な機能を有するものであり、多くのソースに対して光ディスクＤ又はハードディスクドライブ部１１８による記録・再生処理を行うものである。次に、ここで、この記録再生装置Ｒの、配信サイトＴからの分割コンテンツのダウンロード処理及び再生処理をフローチャートを用いて詳細に説明する。
【００３１】
＜コンテンツの取得処理と再生処理＞
次に、ここで、この記録再生装置Ｒの、配信サイトＴからの分割コンテンツのダウンロード処理及び再生処理をフローチャートを用いて詳細に説明する。
【００３２】
（コンテンツの取得処理）
記録再生装置Ｒは、図６の説明図及び図７のフローチャートにおいて、主に制御部（コンテンツ取得部）１３０の制御下において、ネットワークインタフェース部１１１及びセキュリティモジュール１４２を用いることにより、以下のようにコンテンツの取得処理を行う。初めに、記録再生装置Ｒは、ネットワークＩ／Ｆ部１１１を介して、例えば、図９に示すようなアドレスに応じて、配信サイトＴのＩ／Ｆ部１３の各サーバ部Ｓ１〜Ｓｎに応じたアドレスにそれぞれアクセスを行う。なお、このときのアドレスは、一つの配信サイトＴにつき一つである場合も好適である。
【００３３】
配信サイトＴでは、記録再生装置Ｒからのアクセスを受けて、認証処理を行う。この認証処理の結果、認証に成功したら、ライセンス管理部１１は、そのユーザに固有の配信手順を決定してデータ化して配信手順情報を生成する。すなわち、ユーザが１００人いれば、１００通りのサーバ部、モジュール部の異なる組合せを用意するものである。この配信手順情報は、Ｉ／Ｆ部１３を介してネットワーク（基本的にＣＤＮで供給される、又は、インターネット（廣田様：出願後数年してインターネットでも可能になったので明細書にインターネットといれておくべきだった今から復活できないかというケースが非常に多いのでインターネットという語句を括弧して残すことを提案します））を経由し受信端末装置Ｒへと供給する。
【００３４】
ここでこの配信手順情報（以下、配信手順リストと呼ぶ）は、図４又は図５に示すものであり、コンテンツが分割された分割コンテンツ２１のそれぞれに、どのサーバ２２のどのモジュール２３が対応するかを示している。又、更に、このサーバとモジュールとの組合せに対応した鍵情報２４が併せて示されている。ここで、鍵情報２４は、各モジュールＭ１〜Ｍｍと各サーバＳ１〜Ｓｎに対応した値をとる関数Ｋ（１〜ｍ，１〜ｎ）として示されているが、特定の関数であることは必ずしも必要とされていない。このような配信手順リストと複数の鍵情報とが、ユーザのセキュリティモジュール１４２に対応するマスターキーで暗号化されて、ネットワーク（基本的にＣＤＮで供給される、又は、インターネット）を介して、記録再生装置Ｒに供給される。なお、ここで、図４と図５との違いは、図４が分割コンテンツを順番に複数のサーバにより一つ一つ供給していることを示しているが、配信においては特にこのような制約がなく、図５に示すように、アトランダムに分割コンテンツと複数サーバとを対応させることが可能であり、これを具体的に示した例が図５である。
【００３５】
記録再生装置Ｒは、このような配信手順リストを取得する（ＳＴ１１）。そして、これに応じて、分割コンテンツの取得リストを作成する（ＳＴ１２）。次に、このリストに応じて、分割コンテンツ（モジュール）の取得を設定する（ＳＴ１３）。そして、設定に応じて、分割コンテンツを取得する（ＳＴ１４）。ここで、分割コンテンツは、取得が完了したかどうかを判断し（ＳＴ１５）、完了していなければＳＴ１４に戻り、分割コンテンツの取得を継続する。取得が完了していれば、取得した分割コンテンツを逐一、ハードディスクドライブ１１８へ蓄積する（ＳＴ１６）。そして、取得した分割コンテンツに応じて、取得リストを更新する（ＳＴ１７）。このようにして、全分割コンテンツの取得が完了したかを判断し（ＳＴ１８）、まだ、完了していなければ、ステップＳＴ１３に戻り、分割コンテンツの取得を継続する。
【００３６】
（コンテンツの再生処理）
又、記録再生装置Ｒにおいて、このようにして取得した分割コンテンツの再生処理の手順を図８のフローチャートに従って、以下に詳細に説明する。すなわち、記録再生装置Ｒにおいて、主に制御部１３０の制御下において、ネットワークＩ／Ｆ部１１１を介して、配信サイトＴからネットワークを介して鍵情報を取得する（ＳＴ２１）。そして、この鍵情報をセキュアモジュール１４２へと格納する（ＳＴ２２）。又、次に、先ほど取得済みである配信手順リストを参照して（ＳＴ２３）、対象の分割コンテンツを設定する（ＳＴ２４）。そして、この設定に応じて、分割コンテンツをハードディスクドライブ部１１８からセキュアモジュール１４２へと転送する（ＳＴ２５）。
【００３７】
ここで、配送手順リストに応じて、セキュリティモジュール１４２毎に異なるマスターキーＫｍで、鍵復号部１４３において暗号化されている複数の鍵情報を復号し、復号した複数の鍵情報を復号部１４４に供給する。復号部１４４においては、この復号された複数の鍵情報と配送手順リストとに応じて、複数の分割コンテンツの復号処理をそれぞれ行うものである（ＳＴ２６）。
【００３８】
そして、分割コンテンツの復号処理は、完了したかどうかが判断され（ＳＴ２７）、全て復号されれば、復号された分割コンテンツをセキュリティモジュール１４２から、ＭＰＥＧデコーダ部１２３へ転送して、分離部１２９でパケット分離化され更にＭＰＥＧ復号処理され、後段の再生処理が施される（ＳＴ２８）。
【００３９】
すなわち、ここで、分割コンテンツは、図示しないＲＡＭ等の記憶領域で展開されて再構成される。そして、映像信号、音声信号は、音声映像処理部１２４において、それぞれの圧縮信号に戻して再生される。このようにして、全分割コンテンツの復号処理・転送処理が完了するまで、処理が行われるものである（ＳＴ２９）。
【００４０】
なお、一連のプログラム等は制御部１３０内の図示しないＲＯＭ等に格納しておき、電源オンの際にロードして起動させる。又、ユーザの設定情報等の電源オフの後も記憶が必要な情報は、図示しない例えばＮＶＲＡＭ等に保持しておく。又、制御部１３０の処理として、リモコン等を通じて再生の開始・停止を制御したり別途取得した番組情報を表示することも可能である。
【００４１】
（その他の取得処理・再生処理）
上述した場合に限らず、例えば、図１０及び図１１に示すように、分割コンテンツ、配送手順リスト、複数の鍵情報（鍵束）は、配信サイトＴからだけでなく、その一部又は全てを、放送局から配信されるものであることも好適である。すなわち、記録再生装置Ｒにおいては、未取得（ＳＴ１０１）の状態から、放送局からチューナ部１１２を介して分割コンテンツ、配送手順リスト、複数の鍵情報（鍵束）の一部又は全てを取得することが好適である（ＳＴ１０２）。又は、ネットワークを介して、同時に、通信で、これらの一部又は全てを取得することができる（ＳＴ１０３）。このように、ネットワーク通信又は放送通信を平行して行うことで、又は、どちらか一方を用いて、記録再生装置Ｒは、分割コンテンツ、配送手順リスト、複数の鍵情報（鍵束）を取得することができる（ＳＴ１０４）。又、分割コンテンツと、配送手順リスト、複数の鍵情報（鍵束）とを、それぞれ、配信サイトＴを介して、又、放送局からの放送信号に重畳された信号として取得することにより、両者を分離して取得することで、第三者に両方を盗聴されずにすむため、これにより、セキュリティを強化することも可能となる。又、配信手順リストと、複数の鍵情報（鍵束）とを異なるサイトから送ったり、同一のサイトから時間的に分離して送ることも同様の趣旨から好適である。
【００４２】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４３】
【図１】本発明の一実施形態に係る再生システムの一例を示すブロック図。
【図２】本発明の一実施形態に係る記録再生装置の一例の構成を示すブロック図。
【図３】本発明の一実施形態に係る再生システムが扱うサーバ部とモジュール部と複数の復号鍵の対応を示した図。
【図４】本発明の一実施形態に係る再生システムが扱う分割コンテンツ、サーバ部、モジュール部、鍵情報との関連を示す図。
【図５】本発明の一実施形態に係る再生システムが扱う分割コンテンツ、サーバ部、モジュール部、鍵情報との他の関連を示す図。
【図６】本発明の一実施形態に係る再生システムの通信処理の概要を説明する説明図。
【図７】本発明の一実施形態に係る再生装置のコンテンツの取得処理の一例を説明するフローチャート。
【図８】本発明の一実施形態に係る再生装置のコンテンツの再生処理の一例を説明するフローチャート。
【図９】本発明の一実施形態に係る再生装置がアクセスする配信サーバのアドレスを示す図。
【図１０】本発明の一実施形態に係る再生システムのコンテンツの取得方法の概要を説明する説明図。
【図１１】本発明の一実施形態に係る再生システムのコンテンツの取得方法の概要を説明する説明図。
【符号の説明】
【００４４】
１−１〜ｎ…映像ユニット、２−１〜ｎ…アプリケーション情報、１１１…ネットワークＩ／Ｆ部、１１２…チューナ部、１１３…入力部、１１８…ハードディスクドライブ部、１１９…光ディスクドライブ部、１２０…データ編集部、１２１…エンコーダ部、１２２…バッファ部、１２３…ＭＰＥＧデコーダ部、１２４…音声映像処理部、１２６…ディスプレイ、１２７…Ｉ／Ｆ部、１２８…多重化部、１２９…分離部、１３０…制御部（コンテンツ取得部）、１３２…操作部、１３３…表示部、１４１…Ｉ／Ｆ、１４２…セキュリティモジュール、１４３…鍵復号部、１４４…復号部、１４５…キャッシュメモリ、１４６…アプリケーション処理部、Ｒ…リモコン。
【図１】
2006157735.tif 000003
【図２】
2006157735.tif 000004
【図３】
2006157735.tif 000005
【図４】
2006157735.tif 000006
【図５】
2006157735.tif 000007
【図６】
2006157735.tif 000008
【図７】
2006157735.tif 000009
【図８】
2006157735.tif 000010
【図９】
2006157735.tif 000011
【図１０】
2006157735.tif 000012
【図１１】
2006157735.tif 000013